(57)【要約】【課題】複数の成人認証装置を一つの自動販売機内に内蔵して制御することができる自動販売機を提供する。【解決手段】非接触型カードのリードライタ１２と第１制御部４２及び運転免許証のリーダ部１４と第２制御部４４を有し、各制御部４２，４４は互いの動作状態を確認し、一つの制御部が動作中の場合には他方の制御部は待機状態とする。【選択図】      図２
2010244289.tif 000002
【特許請求の範囲】
【請求項１】
金銭処理部と、
接客部と、
商品搬出部と、
複数の成人認証装置と、
前記各成人認証装置のそれぞれの制御部と、
を有し、
複数の前記制御部は互いに接続され、かつ、複数の前記制御部の中の一つの前記制御部が動作状態の場合には、他の前記制御部は待機状態となり、前記一つの制御部が、前記金銭処理部、前記接客部及び前記商品搬出部を販売制御する、
ことを特徴とする自動販売機。
【請求項２】
前記各制御部は、前記自動販売機内のバスラインで接続されている、
ことを特徴とする請求項１に記載の自動販売機。
【請求項３】
前記各制御部は、専用の信号線で接続されている、
ことを特徴とする請求項１に記載の自動販売機。
【請求項４】
複数の前記制御部の中の一つの前記制御部が、初期状態において動作を行う初期制御部に設定され、
前記初期状態において前記初期制御部以外の他の前記制御部は待機状態に設定され、
前記他の制御部の中の一つの前記制御部の前記成人認証装置が認証状態になると、一つの前記制御部は、待機状態から動作を開始する旨を知らせる開始信号を前記初期制御部に送信し、
前記動作信号を受信した前記初期制御部は待機状態となる、
ことを特徴とする請求項１に記載の自動販売機。
【請求項５】
複数の前記制御部が、いずれも初期状態においては待機状態に設定され、
一つの前記制御部の前記成人認証装置が認証状態になると、一つの前記制御部は、待機状態から動作を開始する旨を知らせる開始信号を他の前記制御部に送信し、
前記動作信号を受信した他の前記制御部は待機状態を維持する、
ことを特徴とする請求項１に記載の自動販売機。
【発明の詳細な説明】
【技術分野】
【０００１】
本発明は、成人認証装置を搭載した自動販売機に関するものである。
【背景技術】
【０００２】
最近、タバコ、酒等の成人のみを対象とした商品を販売する自動販売機においては、成人認証装置が搭載されている。
【０００３】
例えば、この成人認証装置としては、年齢確認を行うための非接触型カードを用いたものや（例えば、特許文献１参照）、運転免許証を読み取り年齢確認を行うものが提案されている（例えば、特許文献２参照）。
【先行技術文献】
【特許文献】
【０００４】
【特許文献１】特開２０００−２８５２８３号公報
【特許文献２】特開２００２−３４２８１７号公報
【発明の概要】
【発明が解決しようとする課題】
【０００５】
上記のように成人認証装置には、複数存在し、自動販売機はこれら複数の成人認証装置を搭載したほうが客も商品を購入し易い。また、複数の成人認証装置を一つの自販機に搭載する場合に、各成人認証装置により必要とするデータの内容が異なるため、一つの制御部で管理することが困難であり、また、各成人認証装置を制御する制御部をそれぞれ持つほうがセキュリティーを保ち易い。
【０００６】
しかしながら、一つの自動販売機内に複数の制御部を搭載した場合には、自動販売機の中にある金銭処理部、接客部及び商品搬出部の制御が、各制御部で競合してしまい、制御が成立しなくなるか、又は、制御部同士の接続に異常を発生させるという問題点がある。
【０００７】
そこで、本発明は上記問題点に鑑み、複数の成人認証装置を一つの自動販売機内に内蔵して制御することができる自動販売機を提供する。
【課題を解決するための手段】
【０００８】
本発明は、金銭処理部と、接客部と、商品搬出部と、複数の成人認証装置と、前記各成人認証装置のそれぞれの制御部と、を有し、複数の前記制御部は互いに接続され、かつ、複数の前記制御部の中の一つの前記制御部が動作状態の場合には、他の前記制御部は待機状態となり、前記一つの制御部が、前記金銭処理部、前記接客部及び前記商品搬出部を販売制御する、ことを特徴とする自動販売機である。
【発明の効果】
【０００９】
本発明によれば、各成人認証装置はそれぞれの制御部が制御し、また、一つの制御部が動作している場合には他の制御部は待機状態であるため、販売制御が競合することなく行うことができる。
【図面の簡単な説明】
【００１０】
【図１】本発明の一実施形態の自動販売機の正面図である。
【図２】同じく自動販売機のブロック図である。
【図３】同じく自動販売機の第１の動作を示すフローチャートである。
【図４】同じく自動販売機の第２の動作を示すフローチャートである。
【発明を実施するための形態】
【００１１】
以下、本発明の一実施形態の自動販売機１０について、図１〜図３に基づいて説明する。本実施形態の自動販売機は、成人以上のみが購入することができるタバコの自動販売機である。
【００１２】
この自動販売機１０は、二つの成人認証装置を搭載している。第１の成人認証装置は、年齢を検出するために利用する非接触型カードを読み取るための非接触型カードリードライタ（以下、「リードライタ」という）１２であり、この非接触型カードとしては、例えば、非接触ＩＣカードがある。第２の成人認証装置は、運転免許証から年齢を判別する運転免許証リーダ部（以下、単に「リーダ部」という）１４である。
【００１３】
（１）自動販売機１０の構成
図１に基づいて、自動販売機１０の構造について説明する。図１は、自動販売機１０の正面図である。
【００１４】
自動販売機１０の本体１６の上部には、タバコのサンプル１１の陳列棚１８が２列設けられ、各タバコのサンプル１１の下方には、値段表示部２０、販売ボタン２２が設けられている。販売ボタン２２の内部には、販売可能時に点灯する販売可能ランプと、売り切れ時に点灯する売り切れランプが内蔵されている。
【００１５】
２列の陳列棚１８の下方には、硬貨処理装置２４、紙幣識別装置２６、返却レバー２８、金額表示部３０が設けられている。また、リードライタ１２の読取り面３２、リーダ部１４における運転免許証の挿入口３４も設けられている。さらに、客に対し年齢が確認されたか否かなどの情報を表示する案内表示部３６が設けられている。
【００１６】
本体１６の下部には、釣り銭取出口３８、商品取り出し口４０が設けられている。
【００１７】
（２）自動販売機１０の電気的構造
次に、図２のブロック図に基づいて、自動販売機１０の電気的構造について説明する。
【００１８】
自動販売機１０は、マイクロコンピュータよりなる第１制御部４２、第２制御部４４を有し、第１制御部４２には、リードライタ１２が接続され、第２制御部４４にはリーダ部１４が接続されている。また、自動販売機１０は、マイクロコンピュータよりなる商品搬出部４６、接客部４８、金銭処理部５０を有している。
【００１９】
第１制御部４２、第２制御部４４、商品搬出部４６、接客部４８、金銭処理部５０は、自動販売機１０内部に設けられたバスライン５２によって信号の送受信を行う。
【００２０】
商品搬出部４６は、自動販売機１０内部に設けられたｎ個のコラム５４に収納されているタバコを順番に搬出する搬出機構５６を制御している。また、この商品搬出部４６において、各コラム５４における売り切れなどを検出する。すなわち、各搬出機構５６は、搬出手段としてモータを有し、また、売り切れ検出のためにスイッチを有している。
【００２１】
接客部４８には、コラム５４毎に設けられている販売ボタン２２、値段表示部２０及び案内表示部３６が接続されている。
【００２２】
金銭処理部５０には、硬貨処理装置２４、紙幣識別装置２６、返却レバー２８、金額表示部３０が接続されている。
【００２３】
（３）自動販売機１０の第１の動作状態
次に、図３のフローチャートに基づいて、自動販売機１０の第１の動作状態について説明する。
【００２４】
まず、初期状態においては、第１制御部４２を初期制御部として動作状態としておき、第２制御部４４を待機状態と設定する。なお、この初期制御部とするのは、第１制御部４２でなく、第２制御部４４であってもよいが、少なくともどちらか一つの制御部のみを初期制御部としておく。
【００２５】
ステップ１において、硬貨処理装置２４又は紙幣識別装置２６が、入金を検出するとステップ２に進む。
【００２６】
ステップ２において、リードライタ１２が非接触型カードを検出した場合にはステップ３に進み、所定時間検出しなかった場合にはステップ８に進む。
【００２７】
ステップ３において、この非接触型カードの内容がタバコを販売するのに適合している内容か否か、すなわち、成人年齢に達しているか否かをリードライタ１２が判定し、適合している場合にはステップ４に進み、適合していない場合にはステップ６に進む。
【００２８】
ステップ４において、客が成人であるため、第１制御部４２は、商品搬出部４６、接客部４８、金銭処理部５０から各データを入手する。この入手するデータとしては、商品搬出部４６からは現在売り切れ中の商品のデータであり、金銭処理部５０からは現在投入されている金額などのデータを入手する。そしてステップ５に進む。
【００２９】
ステップ５において、客に対し年齢が確認されたことを案内表示部３６によって表示し、ステップ１４に進んで販売を開始する。
【００３０】
ステップ６において、リードライタ１２が読み取ったデータが成人に達していないと判断したため（ステップ３）、その旨を案内表示部３６で表示し、ステップ７に進む。
【００３１】
ステップ７において、第１制御部４２は金銭処理部５０を介して、投入されたお金を返却し、販売を終了する。
【００３２】
ステップ８において、リーダ部１４の挿入口３４に運転免許証が挿入されるか否かを検出する。運転免許証が検出された場合にはステップ９に進み、所定時間検出されなかった場合にはステップ１２に進む。
【００３３】
ステップ９において、検出した運転免許証から客の年齢を確認し、成人であればステップ１０に進み、成人でなければステップ１２に進む。
【００３４】
ステップ１０において、第２制御部４４が第１制御部４２に対しバスライン５２を通して、待機状態から動作を開始する旨を知らせる開始信号を送信し、動作状態となる。動作状態となった第２制御部４４は、商品搬出部４６、接客部４８、金銭処理部５０からステップ４と同様の各データを入手する。一方、第１制御部４２は開始信号を受信すると待機状態となる。そして、ステップ１１に進む。
【００３５】
ステップ１１において、第２制御部４４は、案内表示部３６によって年齢が確認された旨を客に表示する。そしてステップ１４に進む。
【００３６】
ステップ１２において、運転免許証が検出されず（ステップ８）、また、運転免許証の年齢が成人でない場合には（ステップ９）、案内表示部３６によって販売できない旨を通知し、金銭処理部５０を介して投入されたお金を返却して、販売を終了する。
【００３７】
ステップ１４において、現在動作中の第１制御部４２又は第２制御部４４が、入手したデータに基づいて、販売判定を行う。すなわち、投入された金額及び品切れになっている商品以外の販売ランプを点灯するように接客部４８を制御する。そしてステップ１５に進む。
【００３８】
ステップ１５において、接客部４８は販売ボタン２２の販売可能ランプ及び品切れランプを点灯させ、ステップ１６に進む。
【００３９】
ステップ１６において、客が販売ボタン２２をオン状態にするとステップ１７に進む。
【００４０】
ステップ１７において、商品搬出部４６が、現在動作中の第１制御部４２又は第２制御部４４の制御に基づいて商品を搬出し、ステップ１８に進む。
【００４１】
ステップ１８において、現在動作中の第１制御部４２又は第２制御部４４の制御に基づいて、金銭処理部５０が釣り銭を返却する。そして、初期制御部として、第１制御部４２に再び設定し、販売を終了する。
【００４２】
（３）自動販売機１０の第２の動作状態
次に、図４のフローチャートに基づいて、自動販売機１０の第２の動作状態について説明する。この第２の動作状態は、上記第１の動作状態の変更例であって、入金検出が、認証動作の後に行うことが第１の動作状態と異なる。
【００４３】
まず、初期状態においては、第１制御部４２を初期制御部として動作状態としておき、第２制御部４４を待機状態と設定する。なお、この初期制御部とするのは、第１制御部４２でなく、第２制御部４４であってもよいが、少なくともどちらか一つの制御部のみを初期制御部としておく。
【００４４】
ステップ２１において、リードライタ１２が非接触型カードを検出した場合にはステップ２２に進み、所定時間検出しなかった場合にはステップ２６に進む。
【００４５】
ステップ２２において、この非接触型カードの内容がタバコを販売するのに適合している内容か否か、すなわち、成人年齢に達しているか否かをリードライタ１２が判定し、適合している場合にはステップ２３に進み、適合していない場合にはステップ２５に進む。
【００４６】
ステップ２３において、客が成人であるため、第１制御部４２は、商品搬出部４６、接客部４８、金銭処理部５０から各データを入手する。この入手するデータとしては、商品搬出部４６からは現在売り切れ中の商品のデータであり、金銭処理部５０からは現在投入されている金額などのデータを入手する。そしてステップ２４に進む。
【００４７】
ステップ２４において、客に対し年齢が確認されたことを案内表示部３６によって表示し、ステップ３１に進んで販売を開始する。
【００４８】
ステップ２５において、リードライタ１２が読み取ったデータが成人に達していないと判断したため（ステップ２２）、その旨を案内表示部３６で表示し、販売制御を終了する。
【００４９】
ステップ２６において、リーダ部１４の挿入口３４に運転免許証が挿入されるか否かを検出する。運転免許証が検出された場合にはステップ２７に進み、所定時間検出されなかった場合にはステップ２１に戻る。
【００５０】
ステップ２７において、検出した運転免許証から客の年齢を確認し、成人であればステップ２８に進み、成人でなければステップ３０に進む。
【００５１】
ステップ２８において、第２制御部４４が第１制御部４２に対しバスライン５２を通して、待機状態から動作を開始する旨を知らせる開始信号を送信し、動作状態となる。動作状態となった第２制御部４４は、商品搬出部４６、接客部４８、金銭処理部５０からステップ２３と同様の各データを入手する。一方、第１制御部４２は開始信号を受信すると待機状態となる。そして、ステップ２９に進む。
【００５２】
ステップ２９において、第２制御部４４は、案内表示部３６によって年齢が確認された旨を客に表示する。そしてステップ３１に進む。
【００５３】
ステップ３０において、運転免許証が検出されず（ステップ２６）、また、運転免許証の年齢が成人でない場合には（ステップ２７）、案内表示部３６によって販売できない旨を通知し、販売制御を終了する。
【００５４】
ステップ３１において、硬貨処理装置２４又は紙幣識別装置２６が、入金を検出するとステップ３２に進む。
【００５５】
ステップ３２において、現在動作中の第１制御部４２又は第２制御部４４が、入手したデータに基づいて、販売判定を行う。すなわち、投入された金額及び品切れになっている商品以外の販売ランプを点灯するように接客部４８を制御する。そしてステップ３３に進む。
【００５６】
ステップ３３において、接客部４８は販売ボタン２２の販売可能ランプ及び品切れランプを点灯させ、ステップ３４に進む。
【００５７】
ステップ３４において、客が販売ボタン２２をオン状態にするとステップ３５に進む。
【００５８】
ステップ３５において、商品搬出部４６が、現在動作中の第１制御部４２又は第２制御部４４の制御に基づいて商品を搬出し、ステップ３６に進む。
【００５９】
ステップ３６において、現在動作中の第１制御部４２又は第２制御部４４の制御に基づいて、金銭処理部５０が釣り銭を返却する。そして、初期制御部として、第１制御部４２に再び設定し、販売制御を終了する。
【００６０】
（４）効果
本実施形態の自動販売機１０によれば、２つの成人認証装置を制御する制御部４２，４４をそれぞれ有していても、第２制御部４４がバスライン５２を介して動作を開始する開始信号を送信し、この開始信号を受信した第１制御部４２は待機状態に変更となるため、２つの制御部４２，４４が競合することなく、販売制御を行うことができる。
【００６１】
そして、この動作の確認により、金銭処理部５０、商品搬出部４６、接客部４８は正常に動作することができる。
【００６２】
（５）変更例
本発明は上記各実施形態に限らず、その主旨を逸脱しない限り種々に変更することができる。
【００６３】
上記実施形態では、成人認証装置として、非接触型カードを読み取るリードライタ１２と運転免許証を検出するリーダ部１４を設けたが、これに加えて、顔認証によって成人か否かを確認する成人認証装置を設けてもよい。この場合には、第３の制御部を搭載する。
【００６４】
また、上記実施形態では、タバコの自動販売機で説明したが、これに限らず販売が年齢によって制限されているアルコール類などのお酒の自動販売機に設けてもよい。
【００６５】
また、上記実施形態では、第１制御部４２と第２制御部４４とを自動販売機のバスライン５２を介して接続していたが、これに限らず専用の信号線を用いて接続してもよい。
【００６６】
また、上記実施形態では、初期状態において、第１制御部２２を初期制御部としたが、これに限らず、例えば、初期状態においては第１制御部２２と第２制御部２４を両方共に待機状態に設定する。そして、どちらかの制御部の成人認証装置が認証状態になると、その制御部は、待機状態から動作を開始する旨を知らせる開始信号を他の制御部に送信し、動作信号を受信した他の前記制御部は待機状態を維持する。
【符号の説明】
【００６７】
１０  自動販売機
１２  リードライタ
１４  リーダ部
４２  第１制御部
４４  第２制御部
４６  商品搬出部
４８  接客部
５０  金銭処理部
５２  バスライン
【図１】
2010244289.tif 000003
【図２】
2010244289.tif 000004
【図３】
2010244289.tif 000005
【図４】
2010244289.tif 000006